(57)【要約】  本発明は、美容薬剤注入のための高周波美容機器に関し、高周波美容機器は、外部の高周波発生源から供給される高周波を伝送する高周波伝送体と、ユーザーに高周波を印加し、美容薬剤を注入する美容薬剤投入体とを有し、高周波伝送体と美容薬剤投入体は、機械的に脱着可能であることを特徴とする。本発明によれば、美容薬剤投入体と高周波伝送体が分離可能であり、施術の便宜性が増し、針の挿入深さを定量的に知ることができる。また、針を利用するトンネリング過程において血管損傷が最小化される。【選択図】図２
2014529459.tif 000002
【特許請求の範囲】
【請求項１】
外部の高周波発生源から供給される高周波を伝送する高周波伝送体と、
ユーザーに前記高周波を印加し、美容薬剤を注入する美容薬剤投入体と
を有する高周波美容機器であって、
前記高周波伝送体と前記美容薬剤投入体とは、機械的に脱着可能であることを特徴とする高周波美容機器。
【請求項２】
前記美容薬剤投入体は、
電気伝導性物質で作られ、前記ユーザーの皮膚内部に挿入され、前記高周波を印加し、前記美容薬剤を注入する針と、
前記美容薬剤を収容する容器と結合される第１結合部と、前記高周波伝送体と機械的に脱着可能になるように結合される第２結合部と、前記針と前記高周波伝送体を電気的に連結することができる電気的連結部とを有する胴体部と、
を有し、
前記針は、前記胴体部を貫通し、前記胴体部の一端部に突出していることを特徴とする請求項１に記載の高周波美容機器。
【請求項３】
前記高周波伝送体は、
前記外部高周波発生源に電気的に連結された高周波印加用導電性部材を収容するケーシング部と、
前記美容薬剤投入体と機械的に脱着可能になるように結合されるコネクター部と、
で構成され、
前記ケーシング部は、前記美容薬剤投入体と電気的に連結することができる電気的接続部を内部に有することを特徴とする請求項１に記載の高周波美容機器。
【請求項４】
前記針は、
前記針側面の外部に絶縁コーティングがされており、前記針が挿入される深さを定量的に確認することができるように前記絶縁コーティングに目盛りが表示されていることを特徴とする請求項２に記載の高周波美容機器。
【請求項５】
前記針は、
前記針表面の外部に絶縁コーティングされており、前記針が挿入される深さを定量的に確認すことができるように前記絶縁コーティングの色相を変化させることを特徴とする請求項２に記載の高周波美容機器。
【請求項６】
前記針は、
前記針の端部が鋭利でない鈍い形状であることを特徴とする請求項２、４又は５に記載の高周波美容機器。
【請求項７】
前記ケーシング部は、前記外部高周波発生源との電気的連結をオン／オフさせることができるスイッチをさらに有することを特徴とする請求項３に記載の高周波美容機器。
【発明の詳細な説明】
【技術分野】
【０００１】
本発明は、高周波美容機器に関する。より具体的に、本発明は、高周波を利用して美容薬剤を注入する美容機器に関する。
【背景技術】
【０００２】
従来の高周波美容機器は、針を有する注射器と、電線で針と連結された高周波電気信号生成器とで構成されることが一般的であった。図１は、従来の高周波美容機器の例を示す図である。図１に示された従来の高周波美容機器１０は、美容薬剤を収容する注射器１と、電線１３で前記注射器１と連結された高周波電気信号生成器１００とで構成されている。
【０００３】
このような従来の美容機器は、図１に示されたように、注射器に高周波印加のための電線が直接連結されている。しかし、このような構造の美容機器は、針が皮膚内部に挿入され、高周波を印加した後にも電線を除去することができないので、美容薬剤を注入した後の施術が煩雑になるという問題がある。そして、交換すべき消耗品に対する費用が増大する。すなわち、注射器を交換しなければならない場合、電線まで交換しなければならないし、電線を交換しなければならない場合、注射器をも交換しなければならない。
【０００４】
また、従来の美容機器は、針が皮膚内部に挿入される深さを施術者が定量的に認識しにくいという問題がある。すなわち、高周波伝送及び美容薬剤を注入するためには、注射器の針を患者の皮膚内部に刺すが、従来の美容機器の場合、針が皮膚内部にどれほど刺し込まれたかを定量的に知ることができる手段が具備されていない。したがって、従来、美容機器で施術を行う場合、ひたすら施術者の感覚や経験によって針が挿入される程度を把握するしかないという問題がある。
【０００５】
これにより、高周波を利用して美容薬剤を注入する高周波美容機器において、使用が便利であり、針の挿入程度を見積ることができる装置が求められている。
【発明の概要】
【発明が解決しようとする課題】
【０００６】
本発明は、前述したような従来技術の問題点を解決するためのものであって、その目的は、美容薬剤を投入する手段と高周波を伝送する手段が分離可能であり、針の挿入深さを定量的に知ることができる高周波美容機器を提供することにある。
【０００７】
また、本発明の他の目的は、針を利用するトンネリング過程において血管損傷を最小化できる高周波美容機器を提供することにある。
【課題を解決するための手段】
【０００８】
上記目的を達成するために、本発明の高周波美容機器は、外部の高周波発生源から供給される高周波を伝送する高周波伝送体と、ユーザーに高周波を印加し、美容薬剤を注入する美容薬剤投入体とを有し、高周波伝送体と美容薬剤投入体とは、機械的に脱着可能であることを特徴とする。
【０００９】
一方、本発明の高周波美容機器において前記高周波伝送体は、高周波印加用導電性部材を収容するケーシング部と、美容薬剤投入体と機械的に脱着可能になるように結合されるコネクター部とを有することができ、前記美容薬剤投入体は、ユーザーの皮膚内部に高周波を印加し、美容薬剤を注入する針と、胴体部とを有することができる。
【００１０】
また、本発明の高周波美容機器では、皮膚内部に挿入される深さを定量的に確認することができるようにする目盛りが針の絶縁コーティングに表示されることができ、挿入深さの確認のために、針の絶縁コーティングの色相に変化を与えることもできる。また、針は、端部が鋭利でない鈍い形状であってもよい。
【００１１】
一方、本発明の高周波美容機器は、外部高周波発生源との電気的連結をオン／オフさせることができるスイッチを有することができる。
【発明の効果】
【００１２】
本発明は、高周波美容機器において美容薬剤投入体と高周波伝送体が分離することができ、美容薬剤を注入する施術で使用の便宜性が確保される効果がある。また、施術者が針の挿入深さを定量的に知ることができるようにして、さらに正確な施術を行うことができるようにする効果を提供する。
【００１３】
また、本発明は、針を利用するトンネリング過程において血管が損傷されることを最小化できる効果を提供する。
【００１４】
一方、美容のための施術で本発明を適用する場合、施術者は、周波数出力レベルまたは出力時間を多様に選択することができ、針挿入方式を施術目的に合わせて選択することができる効果がある。
【図面の簡単な説明】
【００１５】
【図１ａ】図１ａは、従来の高周波美容機器を示す図である。
【図１ｂ】図１ｂは、従来の高周波美容機器を示す図である。
【図２】図２は、本発明の実施例による高周波美容機器１００において美容薬剤投入体１０１と高周波伝送体１０２が分離した構造を示す分解斜視図である。
【図３】図３は、本発明の実施例による高周波美容機器１００において美容薬剤投入体１０１と高周波伝送体１０２が結合された構造を示す斜視図である。
【図４】図４は、本発明の実施例による高周波美容機器１００の側面図である。
【図５ａ】図５ａは、本発明の実施例による高周波美容機器１００の針を示す図である。
【図５ｂ】図５ｂは、本発明の実施例による高周波美容機器１００の針を示す図である。
【図６】図６は、本発明の実施例による高周波美容機器１００の針の端部を拡大した図である。
【発明を実施するための形態】
【００１６】
本発明は、以下に記載される実施例の説明内容に限定されるものではなく、本発明の技術的要旨を逸脱しない範囲内で多様な変形が行われることができることは自明である。そして実施例を説明するにあたって、本発明の属する技術分野に広く知られていて、本発明の技術的要旨と直接的に関連がない技術内容に対しては説明を省略する。
【００１７】
一方、添付の図面において同一の構成要素は、同一の参照符号で表現される。そして、添付の図面において一部の構成要素は、誇張されたり、省略されたり、概略的に図示されることもできる。これは、本発明の要旨と関連がない不要な説明を省略することによって、本発明の要旨を明確に説明するためである。
【００１８】
図２は、本発明の実施例による高周波美容機器１００において美容薬剤投入体１０１と高周波伝送体１０２が分離した構造を示す分解斜視図である。図２に示されたように、本発明の高周波美容機器１００は、美容薬剤投入体１０１と高周波伝送体１０２を有し、これらは、機械的に分離することができることが特徴である。
【００１９】
高周波伝送体１０２は、外部の高周波発生源（図示せず）と連結され、高周波を伝送する機能をする。このような高周波伝送体１０２は、導電性部材を収容するケーシング部１６０及びコネクター部１５５で構成される。そして、ケーシング部１６０は、美容薬剤投入体１０１と電気的に連結することができる電気的接続部を内部に有する。
【００２０】
ケーシング部１６０は、一般的に電線タイプである高周波印加用導電性部材を収容し、高周波発生源(図示せず)で発生した高周波を美容薬剤投入体１０１に伝送する役目をする。コネクター部１５５は、ケーシング部１６０の側面に位置し、美容薬剤投入体１０１と機械的な脱着を可能にする。すなわち、コネクター部１５５によって美容薬剤投入体１０１と高周波伝送体１０２が機械的に連結される。そして、美容薬剤投入体１０１と高周波伝送体１０２が機械的に連結されれば、高周波発生源(図示せず)で発生した高周波は、導電性部材に沿ってケーシング部１６０内部の電気的接続部から美容薬剤投入体１０１に伝送される。
【００２１】
美容薬剤投入体１０１は、ユーザーに高周波を印加し、美容薬剤を注入する機能をする。このような美容薬剤投入体１０１は、針１１０と胴体部１３０で構成され、図２に示されたように、針１１０は、胴体部１３０を貫通し、上端に突出している。そして、胴体部１３０は、美容薬剤を収容する容器と結合される第１結合部１１６、高周波伝送体１０２と機械的に脱着可能になるように結合される第２結合部１１５、及び針１１０と高周波伝送体１０２を電気的に連結させる電気的連結部を有する。
【００２２】
針１１０は、電気伝導性物質で作られ、導電性部材を介して電気的連結部１１７と電気的に連結されている。したがって、美容薬剤投入体１０１と高周波伝送体１０２が結合されれば、針１１０には、電気的連結部１１７を介して高周波が伝送されるようになる。高周波美容機器１００の施術者は、このような針１１０を利用してユーザーに高周波を印加し、美容薬剤を注入するようになるが、具体的な使用方法が以下で記述される。
【００２３】
本発明による高周波美容機器１００は、美容薬剤投入が必要な部位ならどこでも使用されることができるが、主に鼻、額、ほお骨の周辺部位、口周辺の八字しわ部分などに主に使用される場合が多い。このような美容薬剤としては、例えば、ヒアルロン酸(ｈｙａｌｕｒｏｎｉｃ ａｃｉｄ)、コラーゲン(ｃｏｌｌａｇｅｎ)、エラスチン(ｅｌａｓｔｉｎ)などを主成分として、皮膚内部に投入され、皮膚にボリュームと弾力を付与する機能をする。ひいては、本発明の実施例において美容薬剤は、ユーザーから採取された脂肪であることができ、脂肪移植に使用されることができる。
【００２４】
また、本発明による高周波美容機器１００の使用において、針１１０は、ユーザーの皮膚に水平に挿入される。施術者は、針１１０を皮膚内部の真皮層まで水平に挿入し、針を上下に移動して、トンネリング（ｔｕｎｎｅｌｉｎｇ）を行う。このようなトンネリングは、美容薬剤が収容される空間を真皮層に確保するためのものである。その後、トンネリングした部位に沿って針１１０の端部で高周波が印加される。これは、高周波が真皮層を刺激し、美容薬剤が収容されるトンネルを堅固にするためのものである。針１１０を上下に移動することをトンネリングの開始とすれば、高周波印加を終了させることをトンネリングの終了と言える。その後、トンネリングした部位に沿って針１１０で美容薬剤が注入される。
【００２５】
胴体部１３０の内部は、貫通された針１１０以外は、空いており、第１結合部１１６を介して美容薬剤を収容する容器と連結され、第２結合部１１５と電気的連結部１１７を介して高周波伝送体１０２と機械的、電気的に連結される。
【００２６】
胴体部１３０において、第１結合部１１６は、胴体部１３０の下端に位置し、美容薬剤を収容する容器と物理的に結合する役目をする。すなわち、美容薬剤は、第１結合部１１６に沿って針１１０に伝達され、ユーザーに注入される。第２結合部１１５は、胴体部１３０の側面に位置し、高周波伝送体１０２と機械的な脱着を可能にする役目をする。すなわち、第２結合部１１５とコネクター部１５５との結合により、美容薬剤投入体１０１と高周波伝送体１０２が脱着されるようになる。
【００２７】
一方、胴体部１３０において電気的連結部１１７は、導電性部材を収容し、針１１０と高周波伝送体１０２を電気的に連結させる役目をする。電気的連結部１１７において導電性部材は、胴体部１３０の内部を貫通する針１１０と連結されているので、前述したように、針１１０に高周波が伝送されるようになる。すなわち、美容薬剤投入体１０１と高周波伝送体１０２が機械的に結合されれば、高周波発生源で発生した高周波は、ケーシング部１６０内部の電気的接続部から、電気的連結部１１７、針１１０の順に伝送する。その後、高周波は、針１１０を介して皮膚内部に印加され、美容薬剤が収容されるトンネルを堅固にするものである。
【００２８】
図２に示されたように、本発明による高周波美容機器１００は、高周波伝送体１０２と美容薬剤投入体１０１が分離することができる。このような構造を取る理由は、皮膚内部に高周波を流して、トンネルを堅固にすれば、すなわちトンネリングが完了した後には、施術過程でこれ以上高周波を必要としないからである。トンネリングが完了すれば、高周波はこれ以上使用されず、トンネリングした部位に沿って美容薬剤を注入するようになり、この際、不要な電線などが付着していれば、施術者は煩雑である。したがって、本発明による高周波美容機器１００は、高周波伝送体１０２と美容薬剤投入体１０１を分離することができるようにして、トンネリング後の施術が容易に進行されるように使用の便宜性を確保したものである。ひいては、高周波伝送体１０２と美容薬剤投入体１０１が分離する構造を取るようになれば、消耗品の交換に対する費用が節減できる効果がある。すなわち、高周波伝送体１０２と美容薬剤投入体１０１それぞれを別個に交換することができるので、費用が節減できる。
【００２９】
図３は、本発明の実施例による高周波美容機器１００において高周波伝送体１０２と美容薬剤投入体１０１が結合された構造を示す斜視図である。
【００３０】
図３に示されたように、胴体部１３０の側面に位置する第２結合部１１５とケーシング部１６０の側面に位置するコネクター部１５５とを嵌合する方法で高周波伝送体１０２と美容薬剤投入体１０１が機械的に結合される。前述したように、胴体部１３０の内部に貫通する針１１０は、導電性部材で電気的連結部１１７と連結されているので、高周波伝送体１０２と美容薬剤投入体１０１が結合すれば、針１１０には高周波が伝送される。したがって、本発明による高周波美容機器１００では、高周波発生源(図示せず)で発生させた高周波が高周波伝送体１０２を介して針１１０に伝送される。
【００３１】
図４は、本発明の実施例による高周波美容機器１００の側面図である。
図４には示されていないが、本発明による高周波美容機器１００は、高周波伝送体１０２にスイッチをさらに有することができる。このようなスイッチは、高周波伝送体１０２と高周波発生源(図示せず)との電気的連結をオン／オフさせる機能を有する。例えば、施術者は、高周波伝送体１０２と美容薬剤投入体１０１を機械的に分離させるとき、スイッチをオフとして、電気接続を遮断することができる。このようなスイッチは、例えばケーシング部１６０の側面に位置させることができる。
【００３２】
図５ａと図５ｂは、本発明の実施例による高周波美容機器１００の針１１０を示す図である。
針１１０は、電気伝導性物質で作られ、高周波を皮膚内部に印加することができるが、針側面の外部は、絶縁コーティングされていて、針の端部だけで高周波が伝送される。本発明による好適な実施例において、針の絶縁コーティングは、テフロン（登録商標）（ｐｏｌｙｔｅｔｒａｆｌｕｏｒｏｅｔｙｌｅｎｅ）、またはシリコーン（ｓｉｌｉｃｏｎ）材質で構成されることができる。
【００３３】
図５ａに示されたように、本発明の実施例による針１１０は、外部の絶縁コーティングに目盛りが表示されている。高周波伝送及び美容薬剤を注入するためには、注射器の針を患者の皮膚に挿入するが、図５ａに示された目盛りは、針１１０が挿入される程度を定量的に確認することができるようにするためのものである。
【００３４】
また、図５ｂに示された本発明の実施例による針１１０は、外部の絶縁コーティングの色相が変化している。このような色相変化は、やはり、針が挿入される程度を施術者が定量的に確認することができるようにするためのものである。
【００３５】
図６は、本発明の実施例による高周波美容機器１００の針１１０の端部５１０を拡大した図である。一般的な針とは異なって、図５に示された本発明の実施例による針１１０の端部５１０は、鋭利でない鈍い形状（ｂｌｕｎｔ  ｅｎｄ  ｎｅｅｄｌｅ）である。
一般的な鋭い端部を有する針(ｓｈａｒｐ  ｅｎｄ  ｎｅｅｄｌｅ)を使用すれば、針を上下に移動して、トンネリングをする過程で、針先端の鋭い部分によってトンネリングされる周囲の血管に損傷を与えて、炎症や浮腫などの副作用が発生する。したがって、図６に示されたように、針の端部が鋭利でなく鈍い場合、血管損傷を最小化することができ、血管損傷による炎症、浮腫などの副作用が顕著に低減される。
【００３６】
その使用方法は、一般的な鋭い端部を有する針(ｓｈａｒｐ  ｅｎｄ  ｎｅｅｄｌｅ)を使用して皮膚内部の真皮層まで水平に挿入し、挿入口を作って、該挿入口に本発明の実施例による鋭利でない鈍い端部を有する針(ｂｌｕｎｔ  ｅｎｄ  ｎｅｅｄｌｅ)を入れてトンネリングをするものである。その後、絶縁コーティングされていない針の端部５１０に高周波を印加し、トンネリングを完了し、図６に示された針の孔５２０から美容薬剤を注入する。
【００３７】
前述した本発明の実施例によれば、高周波美容機器において美容薬剤投入手段と高周波伝送手段が分離可能であり、針の挿入深さを定量的に知ることができる。また、針を利用するトンネリング過程で血管損傷を最小化することができる。
【００３８】
本明細書と図面に開示された本発明の実施例は、本発明の技術内容を容易に説明し、本発明の理解を助けるために特定例を提示したものに過ぎず、本発明の範囲を限定しようとするものではない。ここに開示された実施例以外にも、本発明の技術的思想に基づく他の変形例が実施可能であるということは、本発明の属する技術分野における通常の知識を有する者に自明である。
【図１ａ】
2014529459.tif 000003
【図１ｂ】
2014529459.tif 000004
【図２】
2014529459.tif 000005
【図３】
2014529459.tif 000006
【図４】
2014529459.tif 000007
【図５ａ】
2014529459.tif 000008
【図５ｂ】
2014529459.tif 000009
【図６】
2014529459.tif 000010
【国際調査報告】
2014529459.tif 000011
2014529459.tif 000012
2014529459.tif 000013
2014529459.tif 000014